(57)【要約】【課題】  第一組み合わせ板及び第二組み合わせ板により構成された多目的組み合わせ構造を提供する。【解決手段】  本考案による多目的組み合わせ構造は、第一組み合わせ板の端部の近くが両サイドから内側に陥没し同じ長さをもつ二つの勘合部を形成し、第二組み合わせ板の幅は第一組み合わせ板の二分の一となり、その端部の近くが片側のみでサイドから内側に陥没し一つの勘合部を形成する。第一組み合わせ板及び第二組み合わせ板の勘合部による勘合方式、及び、第一組み合わせ板及び第二組み合わせ板の長さの加工等の工夫により、様々な大きさの柵を組み立てることができる。【選択図】      図３
0003129158.tif 000002
【実用新案登録請求の範囲】
【請求項１】
第一組み合わせ板及び第二組み合わせ板を含む多目的組み合わせ構造であって、
前記第一組み合わせ板の両端の近くは、それぞれ、両サイドから内側に陥没し同じ長さを有する二つの勘合部を形成し、
前記第二組み合わせ板の幅は、前記第一組み合わせ板の二分の一であり、前記第二組み合わせ板の両端の近くは、それぞれ、片サイドから内側に陥没し一つの勘合部を形成する、
多目的組み合わせ構造。
【請求項２】
前記第一組み合わせ板及び前記第二組み合わせ板によって構成された柵構造の底部には、底盤が設置される、
請求項１に記載の多目的組み合わせ構造。
【請求項３】
前記第一組み合わせ板及び前記第二組み合わせ板によって構成された柵構造の内部には、収納容器が設置される、
請求項１に記載の多目的組み合わせ構造。
【請求項４】
前記第一組み合わせ板及び前記第二組み合わせ板によって構成された柵構造の頂縁部から、前記収納容器の周辺に設けられる透過孔を重ねて固定するための固定部が延伸する、
請求項１または第３項に記載の多目的組み合わせ構造。
【請求項５】
第一組み合わせ板、第二組み合わせ板及び接続部品を含む多目的組み合わせ構造であって、
前記第一組み合わせ板の両端の近くは、それぞれ、両サイドから内側に陥没し同じ長さを有する二つの勘合部を形成し、
前記第二組み合わせ板の幅は、前記第一組み合わせ板の二分の一であり、前記第二組み合わせ板の両端の近くは、それぞれ、片サイドから内側に陥没し一つの勘合部を形成し、
前記接続部品は、第一接続面を有し、当該第一接続面の両端は、互いに対向した状態で少なくとも一つの第二接続面をさら延伸させ、各接続面は、両サイドから内側に向かって陥没し同じ長さを有する二つの勘合部を形成する、
多目的組み合わせ構造。
【請求項６】
前記第一組み合わせ板、第二組み合わせ板及び接続部品によって構成された柵構造の底部には、底盤を設置される、
請求項５に記載の多目的組み合わせ構造。
【請求項７】
前記第一組み合わせ板、前記第二組み合わせ板及び接続部品によって構成された柵構造の内部には、収納容器が設置される、
請求項５に記載の多目的組み合わせ構造。
【請求項８】
前記第一組み合わせ板、前記第二組み合わせ板及び接続部品によって構成された柵構造の頂縁部から、前記収納容器の周辺に設けられた透過孔を重ねて固定するための固定部が延伸する、
請求項５または第７項に記載の多目的組み合わせ構造。
【請求項９】
前記接続部品の各接続面は延伸して正方形または六角形を含む多角形断面を有する構造を形成する、
請求項５に記載の多目的組み合わせ構造。
【考案の詳細な説明】
【技術分野】
【０００１】
本考案は、多目的組み合わせ構造に関し、特に、特殊な板材を利用し、様々な用途に合わせて組み立てることのできる多目的組み合わせ構造に関する。
【背景技術】
【０００２】
幼い子供またはペットが一定の空間で遊んだりすることができるように、木製の板材を使ってプレイハウスや安全柵を組み立て、或いは、市販の組み合わせ型プレイハウスや組み合わせ型安全柵を購入して利用することが多い。木製の板材を自分で組み立てる場合、釘を使って木材部品を結合するため、利用しない時はそれらを分解して収納することができず、スペースの有効利用が難しくなっている。そして、既製のプレイハウスや安全柵では組み立て後の空間構造が一定化されているため、空間が不足してもそれ以上拡張することができず、様々な需要や用途に合わせて空間構造を変えることができないという欠点を抱えている。
【０００３】
従って、上述のような既存のプレイハウス或いは安全柵の問題点を改善し、より理想的で実用性を伴った新型構造を開発することは消費者が待望することであり、当業者の目指すところでもある。
【考案の開示】
【考案が解決しようとする課題】
【０００４】
本考案の目的は、第一組み合わせ板及び第二組み合わせ板によって構成された多目的組み合わせ構造を提供することにある。
【課題を解決するための手段】
【０００５】
前述の目的を達成するために、本考案の組み合わせ構造は、第一組み合わせ板と第二組み合わせ板により構成される。第一組み合わせ板は、その端部の近くが両サイドから内側に陥没し、同じ長さを持つ二つの勘合部を形成する。第二組み合わせ板は、その高さが第一組み合わせ板の二分の一となり、その端部の近くが片側のみでサイドから内側に陥没し、一つの勘合部を形成する。この組み合わせ構造は、第一組み合わせ板及び第二組み合わせ板の勘合部を互いに勘合させることで、異なる長さや大きさの柵を組み立てることができる。
【考案の効果】
【０００６】
本考案は、第一組み合わせ板及び第二組み合わせ板によって構成された多目的組み合わせ構造を提供する。
【考案を実施するための最良の形態】
【０００７】
次に、添付した図面を参照しながら、本考案の好適な実施形態を詳細に説明する。
【０００８】
図１、図２は本考案における多目的組み合わせ構造の好適な実施例であり、第一組み合わせ板１０及び第二組み合わせ板２０による組み合わせ構造を示している。その特徴を以下に記す。
【０００９】
第一組み合わせ板１０の左右端部の近くは、上下サイドから内側に陥没して同じ長さをもった勘合部１１を形成している。
【００１０】
第二組み合わせ板２０の幅は、第一組み合わせ板１０の二分の一となり、その左右の端部の近くは、上サイドから内側に陥没して一つの勘合部２１を形成している。
【００１１】
上述の構造により、図３に示すように、第一組み合わせ板１０及び第二組み合わせ板２０は、両端の勘合部１１、２１を互いに勘合させることで、空間構造をもった柵を構成することができる（図４を参照）。幼い子供やペットの遊び場や活動スペースを確保できるだけでなく、組立て及び取外し分解を快速かつ効率良く行うことができる。そして、この構造は、第一組み合わせ板１０及び第二組み合わせ板２０の勘合部１１と２１を勘合させることで組立てを行うため、長さを自由に変更し、用途に合わせて様々な大きさ、高さの柵を組み立てることができる。
【００１２】
また、図４に掲げられている第一組み合わせ板１０及び第二組み合わせ板２０によって構成された柵構造の底部に一つの底盤３０を設置することで、幼い子供またはペットが作り出すゴミや排泄物の受け皿として利用することができる。
【００１３】
また、図５に示すように、第一組み合わせ板１０または第二組み合わせ板２０は、一つの接続部品４０を利用して延長することができる。その接続部品４０は、一つの基礎接続面４１を有し、基礎接続面の両端は、同一方向に向かって対向し、接続面４１から伸びている。また、各接続面４１の上は、両サイドから内側に向かって陥没しており、同じ長さの二つの勘合部４２を形成している。対抗する二つの接続面４１に第一組み合わせ板１０または第二組み合わせ板２０の勘合部１１と２１を挿入して連結することで（図６を参照）、柵を拡大させることができる。このほか、中央の基礎接続面４１に第一組み合わせ板１０または第二組み合わせ板２０を取り付ければ、仕切りとしての機能を果たすことができる。
【００１４】
図７は上述の接続部品４０を利用して柵構造を拡大させたイメージ図であり、その底部に一つの底盤３０を設置することができる。
【００１５】
図８は第一組み合わせ板１０及び第二組み合わせ板２０によって組み立てられた柵構造を示しており、その内部に一つの収納容器５０を設置することができ、収納容器５０の周辺には透過孔５１が一定間隔に設置されている。最上部に取り付けられている第一組み合わせ板１０及び第二組み合わせ板２０の頂縁からは、収納容器５０の透過孔５１を重ねて固定するための固定部１２と２２が延伸しており、収納容器５０を設置した後、一定間隔に配置された複数のリンク穴６１を有する押え部品６０を収納容器５０の周辺に設置し、そのリンク穴６１に固定部１２と２２を貫通させ、最後に一つのリンク部品７０を固定部１２と２２に被せると、収納容器５０の周辺は第一組み合わせ板１０、第二組み合わせ板２０及び押え部品６０の間に挟まれて一つの構造が形成される。その収納容器に水を入れれば、小型プールとして、幼い子供やペットをそこで遊ばせることができる。しかも収納容器５０の体積は第一組み合わせ板１０及び第二組み合わせ板２０によって形成されている柵に合わせて作ることができるため、特に制限を受けないものとする。
【００１６】
図９は接続部品４０の別の実施例を示しており、その接続部品４０の各接続面４１は延伸して多角形の断面を有する構造を形成することができ、例えば図示の正方体構造は多方面に延伸して仕切りの役割を果たすことができる。
【００１７】
図１０は接続部品４０のもう一つの実施例を示しており、その接続部品４０の各接続面４１は延伸して六角形構造を形成している。このような構造は様々な角度に延伸し、仕切りの役割を果たすことができる。
【００１８】
また、前記二つの実施例に掲げられた接続部品４０は多角形の断面をもつ様々な構造を形成することができ、正方形または六角形の実施形態はあくまでも範例であり、実施においてはその制限を受けないものとする。
【００１９】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２０】
【図１】本考案における第一組み合わせ板の平面図である。
【図２】本考案における第二組み合わせ板の平面図である。
【図３】本考案における第一組み合わせ板及び第二組み合わせ板の組み合わせイメージ図である。
【図４】本考案における柵構造及び底盤の組み合わせイメージ図である。
【図５】本考案において、接続部品を使用した場合の局部分解図である。
【図６】本考案において、接続部品を使用した場合の局部組み合わせ図である。
【図７】本考案において、接続部品を使用した場合の柵構造及び底盤の組み合わせイメージ図である。
【図８】本考案における柵構造及び収納容器の組み合わせイメージ図である。
【図９】本考案における接続部品の別の実施例を示す図である。
【図１０】本考案における接続部品のもう一つの実施例図を示す図である。
【符号の説明】
【００２１】
１０      第一組み合わせ板
１１      勘合部
１２      固定部
２０      第二組み合わせ板
２１      勘合部
２２      固定部
３０      底盤
４０      接続部品
４１      接続面
４２      勘合部
５０      収納容器
５１      透過孔
６０      押え部品
６１      リンク穴
７０      リンク部品
【図１】
0003129158.tif 000003
【図２】
0003129158.tif 000004
【図３】
0003129158.tif 000005
【図４】
0003129158.tif 000006
【図５】
0003129158.tif 000007
【図６】
0003129158.tif 000008
【図７】
0003129158.tif 000009
【図８】
0003129158.tif 000010
【図９】
0003129158.tif 000011
【図１０】
0003129158.tif 000012